(57)【要約】      （修正有）【課題】パチンコ機などの弾球遊技機の入賞装置は、従来、入賞口の上方から流下する遊技球を流入させる方式であり、遊技球の流入経路に関しては遊技者の興趣を喚起するような意外性に欠ける。【解決手段】少なくとも開位置と閉位置との２つの位置を取ることにより入賞口３５０における遊技球の流入領域の広狭を変化させる羽根部材２００と、前記羽根部材の後方に配設され前記羽根部材を少なくとも前記開位置又は前記閉位置との間で駆動変位させるための駆動手段と、前記入賞口の下方近傍に配設され遊技球の進行方向を転換させる方向転換部材とを備え、前記羽根部材が、前記開位置にあるときに前記流入領域は広くなり、前記羽根部材が、前記閉位置にあるときに前記流入領域は狭くなる。【選択図】図１
2005230418.tif 000002
【特許請求の範囲】
【請求項１】
遊技盤の盤面に取り付けられ、入賞口を有する遊技球用入賞装置であって、
少なくとも開位置と閉位置との２つの位置を取ることにより前記入賞口における遊技球の流入領域の広狭を変化させる羽根部材と、前記羽根部材の後方に配設され前記羽根部材を少なくとも前記開位置又は前記閉位置との間で駆動変位させるための駆動手段と、前記入賞口の下方近傍に配設され遊技球の進行方向を転換させる方向転換部材とを備え、
前記羽根部材が、前記開位置にあるときに前記流入領域は広くなり、
前記羽根部材が、前記閉位置にあるときに前記流入領域は狭くなり、
前記羽根部材は基端部と先端部とを有し、前記基端部が前記入賞口の上方で回動可能に軸支され、前記開位置にある前記羽根部材の前記先端部は、前記閉位置にある前記羽根部材の前記先端部よりも上方に位置し、
前記羽根部材が前記開位置にあるとき、前記方向転換部材により方向転換されて前記遊技球が前記入賞口に流入しうるようにされた、遊技機用入賞装置。
【請求項２】
前記羽根部材が、前記開位置にあるとき、前記羽根部材の前記先端部よりも上部からの前記遊技球の流入が阻止されている、請求項１記載の遊技機用入賞装置。
【請求項３】
前記方向転換部材が、前記盤面に配設された遊技釘である、請求項１又は２記載の入賞装置。
【請求項４】
更に、前記装置を前記遊技盤に取り付けるための取付部材を備え、前記方向転換部材が、前記取付部材の下部にこれと一体に形成された突設部材である、請求項１又は２記載の入賞装置。
【請求項５】
前記方向転換部材が、前記取付部材と一体に形成された板状体である、請求項１又は２記載の入賞装置。
【発明の詳細な説明】
【技術分野】
【０００１】
本発明は、パチンコ機、アレンジボール機などの弾球遊技機に配設される入賞装置に関する。
【背景技術】
【０００２】
パチンコ機、アレンジボール機などの弾球遊技機においては、遊技盤の盤面に所定の遊技条件下で遊技球を流入させる開口すなわち入賞口を有する遊技球入賞装置が配設されている。
例えば、パチンコ機において、一般に電動チューリップと呼ばれる入賞装置は、遊技球を流入させる入賞口と、それぞれ下端部を回動可能に軸支され入賞口の開口面積を変化させるための一対の羽根部材と、この一対の羽根部材を駆動変位させるアクチュエータなどを具備する（例えば、特許文献１参照）。
かかる従来の入賞装置においては、入賞口の上方から遊技球が流入することが一般的である。
【０００３】
したがって、入賞口の直上もしくはそれに近い方向から略直線状に流下する遊技球のみが流入することになり、それらの経路から外れた遊技球が流入する確率は極めて低いため、遊技者の興趣を持続させることが困難であるという問題があった。
【特許文献１】特開２００３−３３４８８号公報
【発明の開示】
【発明が解決しようとする課題】
【０００４】
本発明の目的は、上記の課題を解消し、従来の入賞装置とは異なる形式で遊技球を流入させることが可能な遊技機用入賞装置を提供することを目的とする。
【課題を解決するための手段】
【０００５】
本発明者は、上記目的を達成すべく、種々検討を重ねる中で、上述した従来の入賞装置のように、上方から流下してくる遊技球のみを流入させるのではなく、遊技球を入賞口の下方から方向転換させることにより流入させる機構を着想した。
【０００６】
すなわち、本発明によれば、遊技盤の盤面に取り付けられ、入賞口を有する遊技球用入賞装置であって、少なくとも開位置と閉位置との２つの位置を取ることにより前記入賞口における遊技球の流入領域の広狭を変化させる羽根部材と、前記羽根部材の後方に配設され前記羽根部材を少なくとも前記開位置又は前記閉位置との間で駆動変位させるための動力伝達手段と、前記入賞口の下方近傍に配設され遊技球の進行方向を転換させる方向転換部材とを備え、前記羽根部材が、前記開位置にあるときに前記流入領域は広くなり、前記羽根部材が、前記閉位置にあるときに前記流入領域は狭くなり、前記羽根部材は基端部と先端部とを有し、前記基端部が前記入賞口の上方で回動可能に軸支され、前記開位置にある前記羽根部材の前記先端部は、前記閉位置にある前記羽根部材の前記先端部よりも上方に位置し、前記羽根部材が前記開位置にあるとき、前記方向転換部材により方向転換されて前記遊技球が前記入賞口に流入しうるようにされたものが提供される。
【０００７】
「遊技盤」とは、弾球遊技機、例えばパチンコ機やアレンジボール機において、遊技球を媒体とした遊技が実行される部分をいう。
【０００８】
「入賞口」とは遊技球を流入させるための開口をいい、例えば入賞装置の取付部材に形成された開口であって、盤面の裏側に遊技球を導くための通路などに連通するものであってもよい。
【０００９】
「入賞領域」とは、上記の入賞口において遊技球が入賞し得る領域をいい、これは後述する羽根部材の変位位置によって拡大もしくは縮小される。
【００１０】
「羽根部材」とは上記の流入領域の広狭を変化させるために配置され、例えば基端部から先端部にかけて長尺な形状である。羽根部材の個数は特に限定されるものではなく、少なくとも１個あれば足りるが、例えば盤面に向って左右対称に一対設けられることが好ましい。入賞口上方で回動可能になるように羽根部材が軸支される。羽根部材が閉位置にある場合、入賞口の流入領域が狭くなる。そのとき、入賞口にはいずれの方向からも遊技球が流入しないようになっている。
【００１１】
一方、羽根部材が開位置にあるときは、羽根部材の先端部が入賞口の外側上方に向って回動し、入賞口の流入領域は広くなる。さらに、羽根部材が開位置にあるときは、その先端部は最上位に至るまで回動し、その場合、先端部の上方からの遊技球の流入が阻止されることが好ましい。
【００１２】
「駆動手段」すなわちアクチュエータとしては、通電状態に応じてプランジャを進退させるソレノイドがあげられるが、モータなどそれ以外のアクチュエータであってもよい。
【００１３】
「方向転換部材」とは、入賞口の下方に設けられて、それに遊技球が衝突することによって遊技球の方向を転換する機能を有する部材を総称したもので、これには遊技球が衝突して跳ね返ったときに入賞口に流入し得るような位置に配設した遊技釘などが含まれる。遊技釘を方向転換部材として配設した場合は、構成要素としてこの遊技釘を含めたものを入賞装置という。また、入賞装置が取付部材を備える場合は、この取付部材と一体に形成された板状体、もしくは、取付部材の下部にこれと一体に形成された突設部材であってもよい。方向転換部材として配設する遊技釘もしくは突設部材の個数は特に限定されるものではなく、適宜決定することができる。
【００１４】
かかる構成において、羽根部材が「開位置」にある場合、遊技盤を流下する遊技球は、一旦入賞口の下方で、方向転換部材に衝突しそこで上方に向って跳ね返されて入賞口に流入する。このように、一旦下方に流下した遊技球が跳ね返って、入賞口に流入するという経路の意外性により、遊技者の興趣を喚起することが可能となる。
【発明を実施するための最良の形態】
【００１５】
以下、図１〜９に基づいて、本発明の遊技機用入賞装置の実施の形態について詳述する。
【００１６】
図１〜７は、本発明の遊技機用入賞装置の第１の実施形態を示す。入賞装置１は、主として、前側装飾部材１００、一対の羽根部材２００、取付部材３００、アクチュエータ（駆動手段）４００、動力伝達部材５００、及び方向転換部材６００とを備える。
【００１７】
前側装飾部材１００は、図３に示す遊技盤の盤面１０に平行な装飾部１１０と、その上部後方に一体に形成され羽根部材を下方に収納する装飾部材ハウジング部１２０とを備える。この装飾部材ハウジング部上面１２０ａは例えば湾曲面となっており、盤面１０を流下する遊技球がこの面に接触すると、その接触位置及び接触角度に応じて、遊技球の落下の方向に変化をもたらすことができる。
【００１８】
前側装飾部材１００の装飾部１１０の裏側には各々の羽根部材２００の基端部２００ａに挿入されてこれを回動可能に軸支するための軸１３０が突設されている。
【００１９】
一対の羽根部材２００は、盤面前方から見て左右対称で、例えば、それぞれ基端部２００ａから先端部２００ｂにかけて幅が先細りになった長尺形状に形成される。基端部２００ａには前側装飾部材１００の軸１３０が挿入される軸孔２１０が形成され（図１）、また、羽根部材２００の後方には後述する取付部材３００の連通孔３３０に挿通される係合突起２２０がこれと一体に形成されている（図３）。
【００２０】
取付部材３００は、取付板３１０と、この取付板３１０の背面にこれと一体に形成されてアクチュエータ、具体的にはソレノイド４００を収納するための取付部材ハウジング部３２０を備える。取付板３１０の上部には、羽根部材２００の係合突起２２０が挿通される連通孔３３０が形成され、これらの各連通孔３３０の外側にこの取付板を遊技盤の盤面１０に取り付けるためのねじ穴３４０が形成されている。さらに、取付板３１０の下部には遊技球が流入する入賞口３５０が形成されている。
【００２１】
取付部材ハウジング部３２０は一対の壁部材３２１を備え、壁部材３２１の上部には後述する動力伝達部５００の動力伝達部ハウジング部５２０を取り付けるためのフランジ部３２２が形成されている。フランジ部３２２にはそれぞれボルト穴３２３が形成されている。
【００２２】
駆動手段としてのソレノイド４００は、コイル４１１が収納されるケース４１０と、駆動出力部（プランジャ）４２０およびコイルばね４３０を備える。プランジャ４２０は軸部４２１と係合フランジ部４２２とを備え、軸部４２１はコイルばね４３０を貫通してコイル４１１内に摺動可能に挿入されている。コイル４１１には電力を供給するためのリード部４４０が接続されている。
【００２３】
ソレノイド４００のコイル４１１に通電されていない状態では、プランジャ４２０はコイルばね４３０に付勢されて盤面の後方に最も突出した状態（図３）となり、ソレノイド４００の通電状態では、プランジャ４２０はコイルばね４３０の付勢力に反してコイル４１１内に引き込まれる（図５）。
【００２４】
動力伝達部５００は、上記のソレノイドのプランジャ４２０の直線的な駆動変位を羽根部材２００の回動変位に変換するためのものであり、アーム部５１０と、アーム部５１０を回動可能に支持する動力伝達部ハウジング部５２０とを備える。アーム部５１０は一対のアーム５１１とこれらのアーム５１１の基端部５１１ａを互いに連結する連結部５１２とを備える。
【００２５】
連結部５１２の前面５１２ａには、図６に示すように、ソレノイド４００のプランジャ４２０の係合フランジ部４２２と係合する係合部５１３が形成されている。また、アーム５１１の基端部５１１ａの上部には、軸孔５１４がそれぞれ形成されている。さらに、アーム５１１の先端部５１１ｂには係合爪５１５がこれと一体に形成されている。この係合爪５１５は、図３に示すように、羽根部材２００の係合突起２２０と係合される。
【００２６】
動力伝達部ハウジング部５２０には、両側壁外面にアーム５１１の軸孔５１４に内挿されてアーム５１１を回動可能に軸支する軸５２１が形成されている。動力伝達部ハウジング部５２０の前側面の左右には、ねじ孔５２２を有する取付用フランジ部５２３が設けられている。
【００２７】
方向転換部材６００は、入賞口３５０の下方位置に配設されて、遊技球の方向を転換するためのものであり、例えば、図２に示すような入賞口３５０の下方近傍に配設された遊技釘６１０である。方向転換部材として配設される遊技釘６１０は、図４に示すように、側方から飛入した遊技球２がこの遊技釘６１０に跳ね返って入賞口３５０に流入する経路が可能となるように、その角度を調整することが好ましい。
【００２８】
かかる入賞装置１は次のようにして組み付けられる。すなわち、図３に示すように、まず、前側装飾部材１００の軸１３０を羽根部材２００の軸孔２１０に挿入して、羽根部材２００を前側装飾部材１００の装飾部材ハウジング部１２０の下方に収納する。
【００２９】
次に、羽根部材２００の後面に形成された係合突起２２０を取付部材３００の連通孔３３０に挿通する。一方、ソレノイド４００のコイル４１１内にコイルばね４３０を介装したプランジャ４２０の軸部４２１を挿入し、プランジャ４２０の係合フランジ部４２２を動力伝達部５００のアーム部５１０の係合部５１３に係合する。
【００３０】
動力伝達部５００のアーム５１１の軸孔５１４に、動力伝達部ハウジング部５２０の軸５２１をそれぞれ内挿し、さらに動力伝達部ハウジング部５２０のフランジ部５２３を取付部材３００の取付部材ハウジング部３２０のフランジ部３２２にねじ止め固定する。
【００３１】
かかる構成の入賞装置１の動作を以下に説明する。
図３に示すように、ソレノイド４００のコイル４１１に通電されていない状態では、プランジャ４２０はコイルばね４３０により付勢されてコイル４１１から最も突出した位置となる。
【００３２】
この状態において、アーム５１１は略水平位置を保持し、係合爪５１５は羽根部材２００の係合突起２２０に全く作用を及ぼさない。したがって、羽根部材２００は閉位置、つまり先端部２００ｂが最下位に位置した状態となる。その結果、入賞口３５０における遊技球２の流入領域は最も狭くなる。すなわち、図２に示すように、羽根部材２００の先端部２００ｂが障害となり、遊技球２が通過できる空間が流入領域に存在せず、遊技球２がいずれの方向からも流入することができないようになっている。
【００３３】
一方、ソレノイド４００のコイル４１１の通電状態では、図５に示すように、プランジャ４２０がコイルばね４３０の付勢力に打ち勝ってコイル４１１内に引き込まれる。つまり、プランジャ４２０の軸は盤面前方に向って略水平方向に直進変位する。この直進変位は図６に示したアーム部５１０の係合部５１３を介してアーム５１１に伝達され、アーム５１１を動力伝達部ハウジング部５２０の突起５２１を中心として上方へ回動変位させる。
【００３４】
その結果、図４に示すように、アーム５１１の先端の係合爪５１５が上方に変位し、これに係合される羽根部材２００の係合突起２２０が取付板３１０の連通孔３３０内を上方に移動する。この係合突起の２２０の移動に伴い、係合突起２２０と偏心して前側装飾部材１００に設けられた軸１３０を中心として一対の羽根部材２００の先端部２００ｂを相反して離隔する方向に回動変位させる。
【００３５】
この回動変位は、上記の係合突起２２０が連通孔３３０の上端に当接した状態で停止する。このとき、図４に示すように羽根部材２００は開位置となり、その先端部２００ｂが入賞口３５０を完全に開口させる。つまり、この状態では、入賞口３５０の流入領域には遊技球２の通過の障害となるものは全く存在せず、流入領域は最も広くなる。
【００３６】
このように、羽根部材２００が開位置にあるとき、図７に示すように、前側装飾部材１００の装飾部材ハウジング部上面１２０ａ及び羽根部材２００は遊技盤の盤面から前方へ突出しているため、羽根部材２００の先端部２００ｂより上方から流下する遊技球２は入賞口３５０への流入が阻止される。そして、羽根部材２００の先端部２００ｂより下方で、かつ、入賞口３５０の左右方向から飛入した遊技球２のうち、遊技釘６１０に衝突してそこで跳ね返ったものが入賞口３５０に入賞し得るようになっている。
【００３７】
そして、ソレノイド４００のコイル４１１の通電が再び解除されると、ソレノイド４００のプランジャ４２０はコイルばね４３０に付勢されて盤面後方側へ退出し、この変位は上述したように動力伝達部５００を介して羽根部材２００に伝達され、羽根部材２００は図２に示した位置すなわち閉位置に復帰する。
【００３８】
なお、上記の構成においては、羽根部材２００の閉位置は先端部２００ｂが最下位となる位置であるため、とくにコイルばね４３０は必ずしも配設することはなく、各羽根部材２００が自重で閉位置に復帰する構成としてもよい。
【００３９】
さらに、上記の構成においては、羽根部材２００が開位置と閉位置との２つの位置を取る場合について述べたが、羽根部材２００の停止位置はこれに限定されるものではなく、開位置と閉位置との間でさらに１以上の停止位置を設定することもできる。
【００４０】
図８及び図９は本発明の遊技機用入賞装置の第２及び第３の実施形態を示し、図１〜７と同一の構成要素には同一の符号を付して示してある。
【００４１】
図８に示す第２の実施形態は、取付部材３００の取付板３１０の入賞口３５０の下部に、方向転換部材６００として反射板６２０を一体に形成したものであり、羽根部材２００が開位置にある状態を示す。この場合も上記と同様に、羽根部材２００が開位置にあるときに、羽根部材２００の先端部２００ｂより下方で、かつ、入賞口３５０の左右方向から飛入した遊技球２が反射板６２０に跳ね返って入賞口３５０に流入する。
【００４２】
図９に示す第３の実施形態は、取付部材３００の取付板３１０の入賞口３５０の下部に、方向転換部材６００として突設部材６３０を一体に形成したものであり、羽根部材２００が開位置にある状態を示す。ここでは突設部材が、一例として櫛歯状に形成されたものである。この入賞装置も図８と同様の遊技球の流入態様とされる。
【００４３】
なお、上記の遊技機用入賞装置の盤面における配設場所は、特に限定されるものではなく、通常入賞口、始動入賞口、特別入賞口など、さまざまな入賞口を備えた入賞装置として利用することが可能である。
【００４４】
以上詳細に説明したように、本発明の遊技機用入賞装置においては、従来盤面を流下する遊技球を上方から流入させる方式の入賞装置とは、方向転換部材を使用した全く異なる流入方式としたことにより、遊技球の方向転換による流入経路の意外性が発現する。その結果、遊技者の興趣を持続させることが可能となり、
例えばパチンコ機などの弾球遊技機に適用するとその工業的価値は極めて大である。
【図面の簡単な説明】
【００４５】
【図１】本発明の遊技機用入賞装置の概要を示す分解斜視図である。
【図２】本発明の遊技機用入賞装置において羽根部材が閉位置にある状態を示す正面図である。
【図３】図２の入賞装置の側面図である。
【図４】本発明の遊技機用入賞装置において羽根部材が開位置にある状態を示す正面図である。
【図５】図４のＶ−Ｖ線に沿う断面図である。
【図６】本発明の遊技機用入賞装置の一部破断底面図である。
【図７】本発明の遊技機用入賞装置に遊技球が流入する状態を示す概念的斜視図である。
【図８】本発明の遊技機用入賞装置の他の実施形態を示す概念的斜視図である。
【図９】本発明の遊技機用入賞装置の他の実施形態を示す概念的斜視図である。
【符号の説明】
【００４６】
１  入賞装置
２  遊技球
１０  盤面
１００  前側装飾部材
１１０  装飾部
１２０  装飾部材ハウジング部
２００  羽根部材
２００ａ  基端部
２００ｂ  先端部
２２０  係合突起
３００  取付部材
３１０  取付板
３２０  取付部材ハウジング部
３３０  連通孔
３５０  入賞口
４００  アクチュエータ（ソレノイド）
４１１  コイル
４２０  プランジャ
４３０  コイルばね
５００  動力伝達部
５１０  アーム部
５１１  アーム
５１３  係合部
５１５  係合爪
５２０  動力伝達部ハウジング部
６００  方向転換部材
６１０  遊技釘
６２０  板状体
６３０  突設部材
【図１】
2005230418.tif 000003
【図２】
2005230418.tif 000004
【図３】
2005230418.tif 000005
【図４】
2005230418.tif 000006
【図５】
2005230418.tif 000007
【図６】
2005230418.tif 000008
【図７】
2005230418.tif 000009
【図８】
2005230418.tif 000010
【図９】
2005230418.tif 000011